(57)【要約】【課題】ユーザが良質な睡眠を得るために、効果の高い睡眠サポートを実現できる制御方法、情報処理装置およびプログラムを提供する。【解決手段】実施形態の制御方法は、第１ユーザの第１機器を制御するための制御方法であって、第１ユーザについての第１ユーザ情報を取得し、第１ユーザ以外のユーザであり第１ユーザ情報に対応するユーザ情報を有する１以上のユーザのうち睡眠に関する第１条件を満たす第２ユーザの第２機器の制御に使用するパラメータに基づいて生成された制御命令を、第１機器へ送信する。【選択図】図３
2015116258.tif 000002
【特許請求の範囲】
【請求項１】
第１ユーザの第１機器を制御するための制御方法であって、
前記第１ユーザについての第１ユーザ情報を取得し、
前記第１ユーザ以外のユーザであり前記第１ユーザ情報に対応するユーザ情報を有する１以上のユーザのうち睡眠に関する第１条件を満たす第２ユーザの第２機器の制御に使用するパラメータに基づいて生成された制御命令を、前記第１機器へ送信する、
制御方法。
【請求項２】
前記第１機器と前記第２機器とは、ユーザの周囲の環境の少なくとも一部を制御可能である請求項１に記載の制御方法。
【請求項３】
前記第１ユーザ情報は、前記第１ユーザの身体の一部に装着される端末から取得される請求項１に記載の制御方法。
【請求項４】
前記第１条件は、ユーザの睡眠の長さ又は睡眠の深さの少なくとも一方に関連する情報に従って定められる請求項１に記載の制御方法。
【請求項５】
前記第１ユーザ情報は、前記第１ユーザの生体情報を少なくとも含む請求項１に記載の制御方法。
【請求項６】
第１機器を使用する第１ユーザについての第１ユーザ情報を入力するための／入力するためのものである入力部と、
前記第１ユーザ以外のユーザであり前記第１ユーザ情報に対応するユーザ情報を有する１以上のユーザのうち睡眠に関する第１条件を満たす第２ユーザの第２機器の制御に使用するパラメータに基づいて生成された制御命令を、前記第１機器へ送信する送信部と、
を備えた情報処理装置。
【請求項７】
前記第１機器と前記第２機器とは、ユーザの周囲の環境の少なくとも一部を制御可能である請求項６に記載の情報処理装置。
【請求項８】
前記入力部は、前記第１ユーザの身体の一部に装着される端末から前記第１ユーザ情報を入力するための／入力するためのものである請求項６に記載の情報処理装置。
【請求項９】
前記第１条件は、ユーザの睡眠の長さ又は睡眠の深さの少なくとも一方に関連する情報によって定められる請求項６に記載の情報処理装置。
【請求項１０】
前記入力部は、前記第１ユーザの生体情報を少なくとも含む前記第１ユーザ情報を入力するための／入力するためのものである請求項６に記載の情報処理装置。
【請求項１１】
コンピュータを、
第１機器を使用する第１ユーザについての第１ユーザ情報を取得する取得部と、
前記第１ユーザ以外のユーザであり前記第１ユーザ情報に対応するユーザ情報を有する１以上のユーザのうち睡眠に関する第１条件を満たす第２ユーザの第２機器の制御に使用するパラメータに基づいて生成された制御命令を、前記第１機器へ送信する送信部と、
として機能させるためのプログラム。
【請求項１２】
前記第１機器と前記第２機器とは、ユーザの周囲の環境の少なくとも一部を制御可能である請求項１１に記載のプログラム。
【請求項１３】
前記取得部は、前記第１ユーザの身体の一部に装着される端末から、前記第１ユーザ情報を取得する請求項１１に記載のプログラム。
【請求項１４】
前記第１条件は、ユーザの睡眠の長さ又は睡眠の深さの少なくとも一方に関連する情報によって定められる請求項１１に記載のプログラム。
【請求項１５】
前記取得部は、前記第１ユーザの生体情報を少なくとも含む前記第１ユーザ情報を取得する請求項１１に記載のプログラム。
【発明の詳細な説明】
【技術分野】
【０００１】
本発明の実施形態は、制御方法、情報処理装置およびプログラムに関する。
【背景技術】
【０００２】
ウェアラブル端末によって当該ウェアラブル端末を装着したユーザの睡眠状態、生体情報、周囲環境などのユーザ情報をモニタリングし、モニタリングしたユーザ情報に基づいてエアコンディショナーや照明等の外部機器（機器の一例）を制御し、ユーザの周囲環境（例えば、気温や明るさなど）を調整する技術が開示されている。
【先行技術文献】
【特許文献】
【０００３】
【特許文献１】特開２０１３−１５０６６０号公報
【発明の概要】
【発明が解決しようとする課題】
【０００４】
本発明の一形態は、ユーザが良質な睡眠を得るために、効果の高い睡眠サポートを実現できる制御方法、情報処理装置およびプログラムを提供することを目的とする。
【課題を解決するための手段】
【０００５】
実施形態の制御方法は、第１ユーザの第１機器を制御するための制御方法であって、第１ユーザについての第１ユーザ情報を取得し、第１ユーザ以外のユーザであり第１ユーザ情報に対応するユーザ情報を有する１以上のユーザのうち睡眠に関する第１条件を満たす第２ユーザの第２機器の制御に使用するパラメータに基づいて生成された制御命令を、第１機器へ送信する。
【図面の簡単な説明】
【０００６】
【図１】図１は、本実施形態にかかる家電制御システムの構成を示す図である。
【図２】図２は、本実施形態にかかる家電制御システムが有するウェアラブル端末のハードウェア構成を示すブロック図である。
【図３】図３は、本実施形態にかかる家電制御システムが有する各装置の機能構成を示すブロック図である。
【図４】図４は、本実施形態にかかるサーバが有するセンシング情報記憶部に記憶されたデータ構成を示す図である。
【図５】図５は、本実施形態にかかる家電制御システムにおける家電機器の制御処理の流れを示すシーケンス図である。
【発明を実施するための形態】
【０００７】
以下、添付の図面を用いて、本実施形態にかかる制御方法、情報処理装置およびプログラムについて説明する。
【０００８】
図１は、本実施形態にかかる家電制御システムの構成を示す図である。本実施形態にかかる家電制御システム１は、図１に示すように、ユーザ（第１ユーザの一例）の身体の一部に装着可能でありかつ当該ユーザの生体情報（例えば、歩数や消費カロリーなど活動量、体温、発汗、脈拍、睡眠状態など）を検出可能なウェアラブル端末１０（端末の一例）と、ユーザ（第１ユーザまたは第２ユーザの一例）が使用する第１機器（または第２機器）の一例であり当該ユーザの周囲の環境（以下、周囲環境と言う）の少なくとも一部を制御可能な家電機器１２（例えば、照明、自動で開閉する電動カーテン、テレビジョン、オーディオ機器、エアコンディショナーなど）と、家電機器１２を使用するユーザについてのユーザ情報を取得して後述するサーバ１４にアップロードするとともに、サーバ１４から取得した家電機器１２の制御に用いるパラメータの一例である家電制御パラメータに基づいて生成された制御命令を家電機器１２へ送信するスマートフォン１３（情報処理装置の一例）と、当該スマートフォン１３とインターネット等のネットワーク１１を介して接続され、スマートフォン１３によってアップロードされた生体情報等を用いて家電制御パラメータを生成してスマートフォン１３に送信するサーバ１４と、を有している。
【０００９】
ここで、ユーザ情報は、ユーザについての情報であり、当該ユーザの生体情報を少なくとも含む。本実施形態では、ユーザ情報は、ウェアラブル端末１０を装着したユーザの身体情報（例えば、性別、年齢、身長、体重、体脂肪率、平均体温など）、ウェアラブル端末１０により検出された生体情報、ウェアラブル端末１０を装着したユーザの睡眠予定（例えば、ユーザの起床予定時刻、ユーザの睡眠時間など）、ウェアラブル端末１０を装着したユーザの活動情報（例えば、歩行中、走行中、乗り物に乗っている、睡眠中、仕事中、食事中、歩数や移動距離などの数値情報など）、ウェアラブル端末１０を装着したユーザの周囲環境に関する環境情報（例えば、気温、湿度、騒音、気圧、照度、位置情報（緯度経度）など）である。以下の説明では、身体情報、生体情報、睡眠予定、活動情報および環境情報を区別する必要が無い場合には、ユーザ情報と記載する。
【００１０】
図２は、本実施形態にかかる家電制御システムが有するウェアラブル端末のハードウェア構成を示すブロック図である。本実施形態では、ウェアラブル端末１０は、図２に示すように、制御部１０１と、記憶部１０２と、入力部１０３と、出力部１０４と、検出部１０５と、通信部１０６と、を有する。また、ウェアラブル端末１０は、図２に示すように、記憶部１０２との間で各種情報を送受信可能なメモリカードなどの記憶媒体１０７が着脱可能である。
【００１１】
制御部１０１は、ＣＰＵ（Central  Processing  Unit）等により構成され、ウェアラブル端末１０が備える各部を制御する。記憶部１０２は、ＲＯＭ（Read  Only  Memory）およびＲＡＭ（Random  Access  Memory）等により構成され、制御部１０１が実行するプログラム、制御部１０１がプログラムを実行する際に使用するデータなどの各種情報を記憶可能である。
【００１２】
入力部１０３は、入力キーやスイッチ等により構成され、ウェアラブル端末１０に対するユーザ操作を入力可能である。出力部１０４は、ＬＣＤ（Liquid  Crystal  Display）等により構成され各種情報を表示可能な表示部１０４ａ、音声を出力するスピーカ１０４ｂ、図示しないバイブレータ等を有している。ウェアラブル端末１は、自端末の状態や自端末における各種処理の結果等などの各種情報を、表示部１０４ａへの表示、スピーカ１０４ｂへの音声出力、図示しないバイブレータの振動によりユーザに通知する。
【００１３】
検出部１０５は、ウェアラブル端末１０を装着したユーザの生体情報（例えば、活動量、体温、発汗、脈拍など）を検出する。通信部１０６は、無線通信によってスマートフォン１３と通信可能である。本実施形態では、通信部１０５は、検出部１０５により検出された生体情報等の各種情報をスマートフォン１３に送信したり、スマートフォン１３から送信された各種情報を受信したりする。
【００１４】
図３は、本実施形態にかかる家電制御システムが有する各装置の機能構成を示すブロック図である。本実施形態では、ウェアラブル端末１０は、図３に示すように、通信制御部３０１と、生体情報取得部３０２と、睡眠状態検出部３０３と、を有している。生体情報取得部３０２は、検出部１０５により検出された生体情報を取得する。また、生体情報取得部３０２は、取得した生体情報（例えば、活動量など）に基づいてユーザの活動情報を検出する。睡眠状態検出部３０３は、生体情報取得部３０２により取得された生体情報に基づいてウェアラブル端末１０を装着したユーザの睡眠状態（例えば、睡眠時間の長さ、覚醒時間の長さ、覚醒頻度、深い睡眠（ノンレム睡眠）、浅い睡眠（レム睡眠）など）を検出する。
【００１５】
通信制御部３０１は、通信部１０６を制御して、入力部１０３から入力されたユーザの身体情報、入力部１０３（またはスマートフォン１３）から入力された睡眠予定、生体情報取得部３０２により取得した生体情報（睡眠状態検出部３０３により検出した睡眠状態を含む）や活動情報などをスマートフォン１３へ送信する。本実施形態では、通信制御部３０１は、生体情報取得部３０２により取得された生体情報や活動情報、および睡眠状態検出部３０３により検出された睡眠状態については、所定時間単位（例えば、数分単位など）でスマートフォン１３へ送信する。
【００１６】
家電機器１２は、図３に示すように、スマートフォン１３から制御命令を受信する制御コマンド送受信部３１１と、スマートフォン１３から受信した制御命令に従って家電機器１２を制御するコマンド処理部３１２と、を有している。
【００１７】
スマートフォン１３（情報処理装置の一例）は、図３に示すように、図示しない通信部を制御して、ウェアラブル端末１０から送信された身体情報，生体情報，活動情報などを受信（取得）する通信制御部３２１と、ウェアラブル端末１０を装着したユーザの周囲環境に関する環境情報を取得する環境情報取得部３２２と、通信制御部３２１により受信した身体情報，睡眠予定，生体情報，活動情報および環境情報取得部３２２により取得した環境情報等のユーザ情報をセンシング情報として、ウェアラブル端末１０を装着したユーザを識別可能なユーザＩＤ（ユーザ識別子）を付加してサーバ１４にアップロード（送信）するセンシング情報アップロード部３２３と、サーバ１４により生成された家電制御パラメータを取得（受信）する家電制御パラメータ取得部３２４と、当該家電制御パラメータ取得部３２４により取得した家電制御パラメータに基づいて生成された制御命令を家電機器１２へ送信する家電制御部３２５と、を有する。通信制御部３２１および環境情報取得部３２２により取得されたユーザ情報には、当該ユーザ情報が取得された時刻（以下、取得時刻と言う）が含まれている。
【００１８】
本実施形態では、環境情報取得部３２２は、所定時間単位（例えば、数分単位）で、環境情報を取得する。そして、センシング情報アップロード部３２３は、通信制御部３２１によって生体情報および活動情報を受信する度に、受信した生体情報および活動情報をセンシング情報としてサーバ１４へ送信する。また、センシング情報アップロード部３２３は、環境情報取得部３２２により環境情報が取得される度に、取得された環境情報をセンシング情報としてサーバ１４へ送信する。
【００１９】
本実施形態では、スマートフォン１３が有する環境情報取得部３２２によって環境情報を取得しているが、これに限定するものではなく、ウェアラブル端末１０において環境情報を取得しても良いし、ウェアラブル端末１０およびスマートフォン１３以外の外部機器において環境情報を取得しても良い。
【００２０】
サーバ１４は、図３に示すように、スマートフォン１３から送信されたセンシング情報を受信するとともに、受信したセンシング情報をユーザ毎にセンシング情報記憶部３３２に記憶させるセンシング情報管理部３３１と、センシング情報管理部３３１により受信したセンシング情報をユーザ毎に記憶するセンシング情報記憶部３３２と、センシング情報管理部３３１により受信したセンシング情報に付加されたユーザＩＤにより識別されるユーザの周囲環境の少なくとも一部を制御可能な家電機器１２の制御に使用する家電制御パラメータを生成してスマートフォン１３に送信するセンシング情報解析部３３３と、を有している。
【００２１】
ここで、図４を用いて、センシング情報記憶部３３２に記憶されたデータ構成について説明する。図４は、本実施形態にかかるサーバが有するセンシング情報記憶部に記憶されたデータ構成を示す図である。センシング情報記憶部３３２は、図４に示すように、センシング情報管理部３３１により受信したセンシング情報に付加されたユーザＩＤ（例えば、ユーザＩＤ：「００００１」）に対応付けて、当該センシング情報として受信した睡眠予定、身体情報、生体情報、活動情報および環境情報等のユーザ情報と、当該ユーザ情報を用いてセンシング情報解析部３３３により生成された家電制御パラメータの履歴（以下、家電制御パラメータ履歴と言う）と、を記憶する。本実施形態では、センシング情報記憶部３３２に記憶された生体情報，活動情報，環境情報は、各情報がスマートフォン１３（通信制御部３２１および環境情報取得部３２２）によって取得された取得時刻および当該各情報を表す値が含まれる。また、センシング情報記憶部３３２に記憶された家電制御履歴には、当該家電制御履歴としての家電制御パラメータが生成された時刻（以下、設定時刻と言う）および当該家電制御パラメータを表す値が含まれる。
【００２２】
次に、図５を用いて、本実施形態にかかる家電制御システム１における家電機器１２の制御処理の詳細について説明する。図５は、本実施形態にかかる家電制御システムにおける家電機器の制御処理の流れを示すシーケンス図である。
【００２３】
スマートフォン１３において睡眠予定が入力されて、当該入力された睡眠予定がウェアラブル端末１０へ送信されると（ステップＳ５００）、ウェアラブル端末１０の制御部１０１は、通信制御部３０１による身体情報，生体情報および活動情報等の送信に先立って、スマートフォン１３から睡眠予定を受信し、当該受信した睡眠予定を設定する（ステップＳ５０１）。制御部１０１によって睡眠予定が設定されると、通信制御部３０１は、睡眠状態検出部３０３により検出された睡眠状態または入力部１０３から入力されたユーザ操作に応じた睡眠予定の設定に基づいて、ウェアラブル端末１０を装着したユーザが睡眠を開始しようとしているか否かを判断する（ステップＳ５０２）。そして、ウェアラブル端末１０を装着したユーザが睡眠を開始しようとしている判断した場合（ステップＳ５０２：Ｙｅｓ）、通信制御部３０１は、設定した睡眠予定、入力部１０３から入力された身体情報、生体情報取得部３０２により取得した生体情報（睡眠状態検出部３０３により検出した睡眠状態を含む）や活動情報をスマートフォン１３へ送信する（ステップＳ５０３）。通信制御部３０１は、睡眠状態検出部３０３により検出された睡眠状態に基づいて、睡眠が終了したか否かを判断する（ステップＳ５０４）。そして、睡眠が終了したと判断した場合（ステップＳ５０４：Ｙｅｓ）、通信制御部３０１は、身体情報等の送信を終了する。一方、睡眠が終了していないと判断した場合（ステップＳ５０４：Ｎｏ）、ステップＳ５０３へ戻り、通信制御部３０１は、身体情報等の送信を継続する。
【００２４】
スマートフォン１３の通信制御部３２１は、ウェアラブル端末１０から送信された身体情報，生体情報，活動情報，睡眠予定等を受信（取得）する（ステップＳ５０５）。また、環境情報取得部３２２は、所定時間単位で、ウェアラブル端末１０を装着したユーザの周囲環境に関する環境情報を取得する（ステップＳ５０６）。本実施形態では、通信制御部３２１および環境情報取得部３２２が、第１ユーザについてのユーザ情報を取得する取得部として機能する。言い換えると、通信制御部３２１および環境情報取得部３２２が、第１ユーザについてのユーザ情報を入力するための／入力するためのものである入力部として機能する。さらに、本実施形態では、家電制御部３２５は、家電機器１２に対して、現在、当該家電機器１２の各部の制御に使用されている制御命令の送信要求を行う（ステップＳ５０７）。家電機器１２の制御コマンド送受信部３１１は、スマートフォン１３からの送信要求に応じて、現在、各部の制御に使用している制御命令（言い換えると、スマートフォン１３から最後に受信した制御命令）をスマートフォン１３へ送信する（ステップＳ５０８）そして、スマートフォン１３の家電制御部３２５は、家電機器１２から送信された制御命令を受信する（ステップＳ５０９）。次いで、センシング情報アップロード部３２３は、通信制御部３２１により受信した身体情報，生体情報，活動情報，睡眠予定および環境情報取得部３２２により取得した環境情報等のユーザ情報と、受信した制御命令に対応する家電制御パラメータ（家電制御履歴）をセンシング情報として、ユーザＩＤを付加してサーバ１４へアップロードする（ステップＳ５１０）。
【００２５】
サーバ１４のセンシング情報管理部３３１は、スマートフォン１３から送信されたセンシング情報を受信するとともに、受信したセンシング情報を、当該センシング情報に付加されたユーザＩＤと対応付けてセンシング情報記憶部３３２に記憶させる（ステップＳ５１１）。スマートフォン１３からセンシング情報を受信すると、センシング情報解析部３３３は、センシング情報記憶部３３２において、受信したセンシング情報に付加されたユーザＩＤ以外のユーザＩＤと対応付けて記憶された身体情報，生体情報，活動情報，環境情報等のユーザ情報のうち、当該受信したセンシング情報が含むユーザ情報に対応（例えば、類似）する１以上のユーザ情報（以下、対応ユーザ情報と言う）を特定する（ステップＳ５１２）。
【００２６】
本実施形態では、センシング情報解析部３３３は、協調フィルタリング等を用いて、センシング情報記憶部３３２において、受信したセンシング情報が含むユーザ情報に対応する（言い換えると、受信したセンシング情報が含むユーザ情報に近い）、１以上の対応ユーザ情報を特定する。例えば、センシング情報解析部３３３は、センシング情報記憶部３３２において、受信したセンシング情報が含むユーザ情報と少なくとも一部が一致（または一致するとみなせる）ユーザ情報を対応ユーザ情報として特定する。または、センシング情報解析部３３３は、受信したセンシング情報が含むユーザ情報（身体情報，生体情報，活動情報，環境情報など）のうち、予め設定された優先順位が高い情報（例えば、生体情報など）が一致するユーザ情報を対応ユーザ情報として特定する。
【００２７】
さらに、センシング情報解析部３３３は、特定した対応ユーザ情報のうち、睡眠に関する条件である所定の睡眠条件（第１条件の一例）を満たすユーザ（第２ユーザの一例）の対応ユーザ情報と対応付けて記憶された家電制御履歴（第２ユーザの家電機器１２の制御に使用する家電制御パラメータ）を読み出す（ステップＳ５１３）。ここで、所定の睡眠条件とは、ユーザの睡眠の長さまたは睡眠の深さの少なくとも一方に関連する情報によって定められる。センシング情報解析部３３３は、特定した対応ユーザ情報のうち、所定の睡眠条件を満たす生体情報（睡眠状態である睡眠時間の長さ、深い睡眠など）を含む対応ユーザ情報と対応付けて記憶された家電制御履歴を読み出す。また、センシング情報解析部３３３は、特定した対応ユーザ情報のうち、良い睡眠へと改善していることを表す睡眠状態を含む対応ユーザ情報と対応付けて記憶された家電制御履歴を読み出しても良い。
【００２８】
そして、センシング情報解析部３３３は、読み出した家電制御履歴に基づいて、受信したセンシング情報に付加されたユーザＩＤにより特定されるユーザの周囲環境を制御可能な家電機器１２の制御に使用する家電制御パラメータを生成してスマートフォン１３へ送信する（ステップＳ５１４）。また、センシング情報解析部３３３は、センシング情報記憶部３３２にセンシング情報が記憶されているユーザのうち、睡眠状態が良いユーザ（例えば、睡眠時間が長いユーザ、深い睡眠のユーザ）のセンシング情報を基にクラスタリングを行い、各クラスタにおけるセンシング情報に含まれる家電制御履歴に基づく当該クラスタを代表する家電制御パラメータを算出し、現在睡眠中のユーザの家電制御パラメータを生成する際に、そのユーザに近いクラスタの家電制御パラメータをスマートフォン１３に送信しても良い。
【００２９】
本実施形態では、センシング情報解析部３３３は、センシング情報記憶部３３２から特定した対応ユーザ情報のうち、所定の睡眠条件を満たす対応ユーザ情報が複数存在する場合には、所定の睡眠条件を満たす複数の対応ユーザ情報と対応付けて記憶された複数の家電制御履歴を平均化した情報を、家電制御パラメータとして生成する。また、センシング情報解析部３３３は、複数の家電制御履歴のうち、外れ情報を除く家電制御履歴に基づいて家電制御パラメータを生成する。ここで、外れ情報とは、読み出された家電制御履歴の統計において、他の家電制御履歴から大きく外れた家電制御履歴である。センシング情報解析部３３３は、生成した家電制御パラメータを、受信したセンシング情報と対応付けてセンシング情報記憶部３３２に記憶させる。
【００３０】
スマートフォン１３の家電制御パラメータ取得部３２４は、サーバ１４から送信された家電制御パラメータを取得する（ステップＳ５１５）。家電制御部３２５（送信部の一例）は、家電制御パラメータ取得部３２４により取得した家電制御パラメータに基づいて生成した制御命令を、家電機器１２へ送信する（ステップＳ５１６）。すなわち、家電制御部３２５は、ユーザ情報を取得したユーザ以外のユーザであり当該取得したユーザ情報に対応する対応ユーザ情報を有する１以上のユーザのうち所定の睡眠条件を満たす他のユーザ（第２ユーザの一例）の家電制御履歴に基づいて生成された制御命令を、家電機器１２へ送信する。
【００３１】
これにより、ユーザが良質な睡眠を得るために必要な当該ユーザ個人の家電制御履歴が十分に蓄積されていない場合でも、他のユーザの家電制御履歴を目標値とした制御命令を家電機器１２へ送信することができるので、複雑な解析を行うことなく、効果の高い睡眠サポートを実現できる。また、ユーザが良質な睡眠を得るために必要な当該ユーザ個人の家電制御履歴が十分に蓄積されていない場合であっても、実効的に、制御命令の生成に用いる家電制御履歴を増やすことができるので、制御命令を生成するアルゴリズムを修正することなく、睡眠サポートによる効果を向上させることができる。
【００３２】
家電機器１２の制御コマンド送受信部３１１は、スマートフォン１３から送信された制御命令を受信する（ステップＳ５１７）。そして、コマンド処理部３１２は、制御コマンド送受信部３１１により受信した制御命令に従って、家電機器１２の各部を制御する（ステップＳ５１８）。
【００３３】
このように、本実施形態の家電制御システム１によれば、ユーザが良質な睡眠を得るために必要な当該ユーザ個人の家電制御履歴が十分に蓄積されていない場合でも、複雑な解析を行うことなく、効果の高い睡眠サポートを実現できる。
【００３４】
本実施形態では、家電制御パラメータを家電機器１２へ送信する情報処理装置としてスマートフォン１３を用いているが、これに限定するものではなく、例えば、ホームゲートウェイ、タブレット端末、パーソナルコンピュータ、ウェアラブル端末等を、家電制御パラメータを家電機器１２へ送信する情報処理装置として用いても良い。
【００３５】
また、本実施形態では、スマートフォン１３が、サーバ１４において生成された家電制御パラメータを取得して、取得した家電制御パラメータを家電機器１２に送信しているが、ウェアラブル端末１０が、サーバ１４において生成された家電制御パラメータを取得し、当該取得した家電制御パラメータに基づく制御命令を家電機器１２へ送信しても良い。
【００３６】
なお、本実施形態のウェアラブル端末１０、スマートフォン１３およびサーバ１４で実行されるプログラムは、ＲＯＭ等に予め組み込まれて提供される。また、本実施形態のサーバ１４で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３７】
さらに、本実施形態のウェアラブル端末１０、スマートフォン１３およびサーバ１４で実行されるプログラムを、インターネット等のネットワークに接続されたコンピュータ上に格納し、ネットワーク経由でダウンロードさせることにより提供するように構成しても良い。また、本実施形態のウェアラブル端末１０、スマートフォン１３およびサーバ１４で実行されるプログラムをインターネット等のネットワーク経由で提供または配布するように構成しても良い。
【００３８】
本実施形態のウェアラブル端末１０で実行されるプログラムは、上述した各部（通信制御部３０１、生体情報取得部３０２、睡眠状態検出部３０３）を含むモジュール構成となっており、実際のハードウェアとしてはＣＰＵ（プロセッサ）が上記ＲＯＭからプログラムを読み出して実行することにより上記各部が主記憶装置上にロードされ、通信制御部３０１、生体情報取得部３０２、睡眠状態検出部３０３が主記憶装置上に生成されるようになっている。
【００３９】
また、本実施形態のスマートフォン１３で実行されるプログラムは、上述した各部（通信制御部３２１、環境情報取得部３２２、センシング情報アップロード部３２３、家電制御パラメータ取得部３２４、家電制御部３２５）を含むモジュール構成となっており、実際のハードウェアとしてはＣＰＵ（プロセッサ）が上記ＲＯＭからプログラムを読み出して実行することにより上記各部が主記憶装置上にロードされ、通信制御部３２１、環境情報取得部３２２、センシング情報アップロード部３２３、家電制御パラメータ取得部３２４、家電制御部３２５が主記憶装置上に生成されるようになっている。
【００４０】
また、本実施形態のサーバ１４で実行されるプログラムは、上述した各部（センシング情報管理部３３１、センシング情報解析部３３３）を含むモジュール構成となっており、実際のハードウェアとしてはＣＰＵ（プロセッサ）が上記ＲＯＭからプログラムを読み出して実行することにより上記各部が主記憶装置上にロードされ、センシング情報管理部３３１、センシング情報解析部３３３が主記憶装置上に生成されるようになっている。
【００４１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００４２】
１  家電制御システム
１０  ウェアラブル端末
１１  ネットワーク
１２  家電機器
１３  スマートフォン
１４  サーバ
３０１  通信制御部
３０２  生体情報取得部
３０３  睡眠状態検出部
３１１  制御コマンド送受信部
３１２  コマンド処理部
３２１  通信制御部
３２２  環境情報取得部
３２３  センシング情報アップロード部
３２４  家電制御パラメータ取得部
３２５  家電制御部
３３１  センシング情報管理部
３３２  センシング情報記憶部
３３３  センシング情報解析部
【図１】
2015116258.tif 000003
【図２】
2015116258.tif 000004
【図３】
2015116258.tif 000005
【図４】
2015116258.tif 000006
【図５】
2015116258.tif 000007